(57)【要約】【課題】  本発明では、ハンドリング時の配線損傷が発生しやすい角隅部における損傷確率を低減させ、角隅部における配線が損傷し難い立体配線構造体を提供することを目的とする。【解決手段】  開示の立体配線構造体の一形態では、樹脂で形成された基材と、前記基材の表面に配置される複数の表層配線と、前記基材の内部に配置される内部配線と、を有する配線構造体であって、前記基材の角隅部を隔て、かつ隣接して配置される２つの前記表層配線は、前記内部配線を介して接続されることを特徴とする。【選択図】図１
2010141049.tif 000002
【特許請求の範囲】
【請求項１】
樹脂で形成された基材と、
前記基材の表面に配置される複数の表層配線と、
前記基材の内部に配置される内部配線と、を有する配線構造体であって、
前記基材の角隅部を隔て、かつ隣接して配置される２つの前記表層配線は、前記内部配線を介して接続されることを特徴とする立体配線構造体。
【請求項２】
前記表層配線と前記内部配線とを、前記基材の表面において接続する配線接続部を有することを特徴とする請求項１に記載の立体配線構造体。
【請求項３】
前記配線接続部は、前記２つの表層配線に接する連続体であることを特徴とする請求項２に記載の立体配線構造体。
【請求項４】
前記内部配線及び前記配線接続部と、該内部配線及び配線接続部を介して接続される前記２つの表層配線とで構成する配線列が並行して複数有る場合、
複数の前記配線接続部の配置は、千鳥配列となることを特徴とする請求項２又は３に記載の立体配線構造体。
【請求項５】
前記配線接続部は、前記表層配線の配線幅及び前記内部配線の配線幅に比し、該配線幅と同方向に広い幅を有することを特徴とする請求項２乃至４の何れか一に記載の立体配線構造体。
【請求項６】
前記配線接続部は、はんだを用いて接続することを特徴とする請求項２乃至５の何れか一に記載の立体配線構造体。
【請求項７】
前記基材の内部に配置される電子部品と、
前記表層配線と前記電子部品とを接続する接続端子とを、さらに有することを特徴とする請求項１乃至６の何れか一に記載の立体配線構造体。
【発明の詳細な説明】
【技術分野】
【０００１】
本発明は、基材上に配線を有する配線構造体の技術に関する。
【背景技術】
【０００２】
機能部品や機能モジュールの小型化を図る方法として、ボードレスによる配線形成、実装が挙げられる。代表的なものとして、ＭＩＤ（Molded Interconnect Device）と呼ばれる立体配線構造体が挙げられる。この立体配線構造体は、配線を構造体表面に構成し、部品実装することができるため、プリント基板を無くすことが可能であり、機能部品や機能モジュールの小型化を図ることができる。
【０００３】
従来、（ａ）フィルム、フィルムの表面および当該表面に対向する裏面に形成された絶縁樹脂層、ならびに絶縁樹脂層に埋め込まれた配線パターンを有して成るシート基材を用意する工程と（ｂ）表面および裏面の少なくとも一方の配線パターンの一部分をシート基材の内部に押し込んで、表面の配線パターンの一部分と裏面の配線パターンの一部分とを接合させる工程とを含んで成るフレキシブル基板の製造方法にて配線の接続構造を実現する技術が公開されている（特許文献１）。
【０００４】
また、電気絶縁性基材の厚さ方向に開けられた貫通孔に導電体が充填され、前記電気絶縁性基材の両面に所定のパターンに形成された配線層間が前記導電体によって電気的に接続されている配線基板であって、前記電気絶縁性基材の両面に接着剤層が形成され、前記電気絶縁性基材がフィルムからなり、少なくとも一方の前記配線層が前記接着剤層部分に埋設されている配線基板の構成が開示されている（特許文献２）。
【０００５】
さらに、基材上に設けられる配線の凸状構造を、基材部と導電部とから構成し、導電部は導電材料により形成すると共に基材部は成形材料により基材の一部として形成し、かつ導電部と基材部との接合界面が基材表面の高さと異なる位置となるように設ける技術も公開されている（特許文献３）。
【特許文献１】特開２００６−１５６９３０号公報
【特許文献２】特許第３２１５０９０号公報
【特許文献３】特開２００６−２０２９１３号公報
【発明の開示】
【発明が解決しようとする課題】
【０００６】
しかし、上記それぞれの技術には、配線の変形を伴うため微細化には不適であったり、貫通孔を設ける方式では微細化には適さなかったり、角隅部にて突出した配線構造であるため損傷が起き易いといった問題点がある。
【０００７】
そこで、本発明では、角隅部における配線を立体配線構造体内部に埋設させることによって、ハンドリング時の配線損傷が発生し易い角隅部における損傷確率を低減させ、角隅部における配線が損傷し難い立体配線構造体を提供することを目的とする。
【課題を解決するための手段】
【０００８】
そこで、開示の立体配線構造体の一形態では、樹脂で形成された基材と、前記基材の表面に配置される複数の表層配線と、前記基材の内部に配置される内部配線と、を有する配線構造体であって、前記基材の角隅部を隔て、かつ隣接して配置される２つの前記表層配線は、前記内部配線を介して接続されることを特徴とする。
【０００９】
また、開示の立体配線構造体の一形態では、さらに、前記表層配線と前記内部配線とを、前記基材の表面において接続する配線接続部を有しても良い。
【００１０】
また、開示の立体配線構造体の一形態では、さらに、前記配線接続部は、前記２つの表層配線に接する連続体であっても良い。
【００１１】
また、開示の立体配線構造体の一形態では、さらに、前記内部配線及び前記配線接続部と、該内部配線及び配線接続部を介して接続される前記２つの表層配線とで構成する配線列が並行して複数有る場合、複数の前記配線接続部の配置は、千鳥配列となっていても良い。
【００１２】
また、開示の立体配線構造体の一形態では、さらに、前記配線接続部は、前記表層配線の配線幅及び前記内部配線の配線幅に比し、該配線幅と同方向に広い幅を有していても良い。
【００１３】
また、開示の立体配線構造体の一形態では、さらに、前記配線接続部は、はんだを用いて接続するとしても良い。
【００１４】
また、開示の立体配線構造体の一形態では、さらに、前記基材の内部に配置される電子部品と、前記表層配線と前記電子部品とを接続する接続端子とを、有するとしても良い。
【００１５】
よって、開示の立体配線構造体では、角隅部における配線を立体配線構造体内部に埋設させることによって、ハンドリング時の配線損傷が発生し易い角隅部における損傷確率を低減させ、角隅部における配線が損傷し難い立体配線構造体を提供することができる。
【発明の効果】
【００１６】
開示の立体配線構造体は、ハンドリング時の配線損傷が発生し易い角隅部における損傷確率を低減させ、角隅部における配線が損傷し難くすることができる。
【発明を実施するための最良の形態】
【００１７】
図面を参照しながら、本発明を実施するための最良の形態について説明する。
（第１の実施例）
図１、２を用いて、本発明に係る立体配線構造体１００について第１の実施例を説明する。
【００１８】
図１は、第１の実施例における立体配線構造体１００の構成を説明する図である。図１で示すように、立体形状の構造体の複数面に跨って配線２０、３０を配置している。面の境界部となる角隅部４０において、配線３０が構造体内部に配置しており、内部に配置した配線３０にて構造体の表層に配置する２つの配線２０を接続した構造となっている。
【００１９】
図２は、実施例に係る立体配線構造体１００の製造方法を説明する図である。図２（ａ）（ｂ）で示す工程では、配線２０を転写する金型７０として、ＳＵＳ３０４を材料とした金型にポリイミド樹脂をスプレーで塗工し、成形時の離形性を高めるためにフッ素コート処理を行ってから、エキシマレーザにてパターニングを行う。このときのパターン幅は５０μｍ、膜厚は５μｍである。
【００２０】
図２（ｃ）で示す工程では、硫酸電解銅めっきにて平均４μｍ厚となるＣｕ配線２０を形成した後に、スクリーン印刷にて該Ｃｕ配線上に配線接続部５０となるはんだペーストを印刷する。図２（ｄ）で示す工程では、成形機に金型７０をセットした後、金型７０に沿うように内部配線３０となる配線を有する転写シート８５を貼り付け、はんだを溶融させることで、金型７０にある表層配線２０となる配線と転写シート８５の配線３０を接合する。
【００２１】
図２（ｅ）で示す工程では、転写シート８５を剥離し、転写シート基材８０から内部配線３０を金型上に残した後、樹脂１０の注入を行う。ここで、樹脂１０としては、熱硬化性エポキシ樹脂Ｇ７６０−Ｌ(住友ベークライト社製)を使用する。図２（ｆ）で示す工程では、その金型７０を離形することで、樹脂１０側に配線２０が転写され、立体状の配線構造体を得ることができる。
【００２２】
上記実施例では、配線材料として銅を用いるが、他の電解めっきにて実現することも可能である。また、配線の形成方式は、絶縁膜を残した方式に限定されるものではなく、絶縁膜の代わりにフォトレジストを用いた電解めっきを施した後、該フォトレジストを除去する方式であっても良い。ただし、この場合、図１で示すように、配線は表層１面のみの接続とはならず、配線外周を覆う形で接続されるため、接合強度の向上は図ることができるが、隣接配線間の短絡が発生し易くなるため、微細ピッチには向いていない。
【００２３】
また、図２（ｃ）を用いて説明したように、接続材料としてはんだをスクリーン印刷にて形成したが、はんだの供給方法としてはこの限りではなく、電解めっきにて配線上に形成する方法や、インクジェット等吐出方式によって供給することも可能である。はんだを用いることで、溶融時におけるセルフアライメントが期待でき、接続位置ばらつきを低減させることができる。
【００２４】
接続材料については、はんだに限定されるものではなく、Ａｇ粒子を主体とする導電性接着剤や導電粒子を含んだ異方性導電フィルム（ＡＣＦ：Anisotropic Conductive Film）等の接続材料によっても、立体配線構造体１００を構成することは可能である。また、本実施例において成形樹脂として用いたエポキシ樹脂についても、熱硬化性樹脂に限らず、熱可塑性樹脂等、他の樹脂によっても立体配線構造体１００を構成することは可能である。
【００２５】
さらには、上記製造方法において使用する転写シート８５についても、シート形状に限定されるものではなく、金型のような固体物状に配線を形成して転写することでも立体配線構造体１００を形成することは可能である。
【００２６】
（第２の実施例）
図３を用いて、本発明に係る立体配線構造体１００について第２の実施例を説明する。
【００２７】
図３は、第２の実施例における立体配線構造体１００の構成を説明する図である。図３で示すように、第２の実施例では、立体配線構造体１００の内部配線３０と２つの表層配線２０とを接続する配線接続部５０は連続体となる。
【００２８】
例えば、図３で示すように、接続形状がフィレットを形成している場合、配線接続部５０に掛かる応力集中を抑制する効果があるため、配線接続部５０による接着力の向上に寄与する。また、配線接続部５０を連続体とすることで応力の分散を図ることができ、特に、本構造のように角隅部４０を囲うような接続構造においては、配線２０、３０間に存在する接続界面が立体的に存在することになり、剥離し難い構造となる。
【００２９】
上記のような構造は、はんだを用いることで実現することが可能であり、信頼性に優れた接続が確保できる。また、導電性接着剤やＡＣＦ等の接続材料でも上記接続は可能であり、特に、配線接続部５０の面積が増大するほど接続信頼性が向上する。
【００３０】
（第３の実施例）
図４、５を用いて、本発明に係る立体配線構造体１００について第３の実施例を説明する。
【００３１】
図４は、第３の実施例における立体配線構造体１００の構成を説明する図である。図４で示すように、構造体１００内部から角隅部４０の方向をみると、金型上に形成された表層となる配線２０と転写シート８５にて転写された内部配線３０とが配線接続部５０にて接続された構造となっており、その周辺が樹脂１０で覆われている。
【００３２】
そして、図４で示すように、配線接続部５０は千鳥配置になっている。このような接続構造とすることで、接続ピッチが配線ピッチよりも広くなり、接続時の隣接配線間の短絡を抑制することができる。ここで、図４では２倍のギャップが設けられている。
【００３３】
図５は、第３の実施例における立体配線構造体１００の構成の別形態を説明する図である。図５では図４で示す配線構造と異なり、配線接続部５０の幅が他の配線２０、３０の配線幅よりも大きいことが特徴である。配線接続部５０の幅を大きくすることで、接続面積を増大させることができ、接続精度を緩くすることができるため、接続プロセスが容易となる。また、他のメリットは、配線との接続面積が大きくなることで、接着強度が大きくなるため、接続信頼性を増大させることができる。
【００３４】
（第４の実施例）
図６を用いて、本発明に係る立体配線構造体１００について第４の実施例を説明する。
【００３５】
図６は、第４の実施例における立体配線構造体１００の構成を説明する図である。図６で示すように、立体配線構造体１００の内部に電子部品１３０が配置されると、構造体１００の接続部が成形樹脂にて覆われることになるため、接続信頼性を向上させることができる。
【００３６】
第４の実施例に係る立体配線構造体１００の製造方法は、第１の実施例の場合と同様に、はじめに、金型７０上に配線２０を形成する。次に、配線２０を形成した金型７０に対して、プリント基板に電子部品１３０を実装する場合と同様に、金型７０に対して実装を行う。そして、該実装後、第１の実施例と同様に成形を行う。このような構成にすることで、多くの電子部品を立体配線構造体１００内部に実装することができ、機能部品や機能モジュールの小型化を図ることができる。
【００３７】
また、はんだ接合を考えた場合、従来、熱サイクルなどの要因によってはんだ接続部の寿命が短い電子部品に対しては、プリント基板の実装ではアンダーフィルなどの樹脂補強にて接続寿命を向上させている。しかし、第４の実施例で示したように、配線構造体１００内部に電子部品を埋め込むことで、上記樹脂補強と同様、はんだ接続部の寿命向上を実現することができる。
【００３８】
（総括）
以上、詳細に説明したように、開示の立体配線構造体は、下記のような特徴及び効果を有する。
・立体配線構造体の角隅部において配線が構造体内部に埋設しているため、配線損傷を防止することができる。
・配線表面のみで接続されるので、配線高さのばらつきや接続不良を抑えることができる。
・配線接続部の配線構造が連続体になることで、接着強度を向上させることができる。
・配線接続部の配線構造を千鳥配列にすることで、隣接間の実装距離が広がり、隣接配線間の接続時の短絡を抑制することができる。
・配線接続部の配線幅を大きくすることで接続面積を大きくすることができるため、接続位置ずれの低減及び配線接続部の接続信頼性を向上させることができる。
・接続材料としてはんだを用いることによって、溶融時におけるセルフアライメントによる接続位置精度の向上を図ることができる。
・機能部品を構造体に内在させることにより、機能部品や機能モジュールの小型化を図ることができる。
【００３９】
以上、本発明の実施の形態について詳述したが、本発明は係る特定の実施の形態に限定されるものではなく、特許請求の範囲に記載された本発明の要旨の範囲において、種々の変形・変更が可能である。
【図面の簡単な説明】
【００４０】
【図１】第１の実施例における立体配線構造体１００の構成を説明する図である。
【図２】実施例に係る立体配線構造体１００の製造方法を説明する図である。
【図３】第２の実施例における立体配線構造体１００の構成を説明する図である。
【図４】第３の実施例における立体配線構造体１００の構成を説明する図である。
【図５】第３の実施例における立体配線構造体１００の構成の別形態を説明する図である。
【図６】第４の実施例における立体配線構造体１００の構成を説明する図である。
【符号の説明】
【００４１】
１０    基材（樹脂）
２０    表層配線
３０    内部配線
４０    角隅部
５０    配線接続部
６０    絶縁層
７０    金型
８０    転写シート基材
８５    転写シート
９０    転写シート絶縁層
１００  立体配線構造体
１１０  フィレット
１２０  接続端子
１３０  電子部品
【図１】
2010141049.tif 000003
【図２】
2010141049.tif 000004
【図３】
2010141049.tif 000005
【図４】
2010141049.tif 000006
【図５】
2010141049.tif 000007
【図６】
2010141049.tif 000008